【手続補正書】
【提出日】平成24年12月17日(2012.12.17)
【手続補正１】
【補正対象書類名】特許請求の範囲
【補正対象項目名】全文
【補正方法】変更
【補正の内容】
【特許請求の範囲】
【請求項１】
無線通信システムにおけるパイロット多重化のための方法であって、
基地局においてアップリンク・パイロット・チャネル情報を決定すること、前記アップリンク・パイロット・チャネル情報を決定することは、多重化されるべき１つまたは複数のアクテイブ・ストリームの数を決定することを含む、
前記アップリンク・パイロット・チャネル情報の所定の関数に従って送信時間間隔内で時間的にリソース・ブロック当たりのパイロット・チャネル帯域幅及び周波数位置を、各アクテイブ・ストリームにつき、変更することによってアップリンク・パイロットを多重化することを促進するために、前記アップリンク・パイロット・チャネル情報を１つ又は複数の無線端末に送信すること、
及び、前記所定の関数に従って前記多重化されたアップリンク・パイロットを受信しかつ逆多重化すること、
を備え、
各アクテイブ・ストリームについての前記多重化されたアップリンク・パイロットの周波数位置は、各リソース・ブロック内に連続周波数ブロックを形成するために前記送信時間間隔内で時間的に前記リソース・ブロックのトーンを横切って周期的にシフトされる、方法。
【請求項２】
前記アップリンク・パイロット・チャネル情報を決定することは、利用可能なリソース・ブロックの数を決定することを含む、請求項１の方法。
【請求項３】
前記アップリンク・パイロット・チャネル情報を決定することは、開始周波数位置を決定することを含む、請求項１の方法。
【請求項４】
無線通信システムにおけるパイロット多重化のための方法であって、
基地局からアップリンク・パイロット・チャネル情報を受信すること、前記アップリンク・パイロット・チャネル情報を受信することは、多重化されるべき１つまたは複数のアクティブ・ストリームのある数を受信することを含み、
前記アップリンク・パイロット・チャネル情報の所定の関数に従って無線端末において送信時間間隔内で時間的にリソース・ブロックごとのパイロット・チャネル帯域幅及び周波数位置を、各アクテイブ・ストリームにつき、変更することによってアップリンク・パイロットを多重化すること、
及び、前記アップリンク・パイロットを送信すること、
を備え、
各アクテイブ・ストリームについての前記多重化されたアップリンク・パイロットの周波数位置は、各リソース・ブロック内に連続周波数ブロックを形成するために前記送信時間間隔内で時間的に前記リソース・ブロックのトーンを横切って周期的にシフトされる、方法。
【請求項５】
前記アップリンク・パイロット・チャネル情報を受信することは、ある数の利用可能リソース・ブロックを受信することを含む、請求項４の方法。
【請求項６】
前記アップリンク・パイロット・チャネル情報を受信することは、開始周波数位置を受信することを含む、請求項４の方法。
【請求項７】
前記アップリンク・パイロットを送信することは、リソース・ブロックごとの各アクテイブ・ストリームについての変化するパイロット・チャネル帯域幅及び周波数位置を有する前記アップリンク・パイロットを送信することを含む、請求項４の方法。
【請求項８】
前記アクテイブ・ストリーム当たりのアップリンク・パイロットは、リソース・ブロックごとに直交態様で周波数分割多重化される、請求項４の方法。
【請求項９】
基地局においてアップリンク・パイロット・チャネル情報を決定するための手段、ここにおいて、前記アップリンク・パイロット・チャネル情報は、多重化されるべき１つまたは複数のアクテイブ・ストリームのある数を含む、
前記アップリンク・パイロット・チャネル情報を送信するための手段、
適応的に多重化されたパイロットを受信するための手段、
及び、前記アップリンク・パイロット・チャネル情報の所定の関数に従って前記受信されたパイロットを逆多重化するための手段、
を備え、
前記適応的に多重化されたパイロットは、送信時間間隔内で時間的にリソース・ブロック当たりの変化するパイロット・チャネル帯域幅および周波数位置を、各アクテイブ・ストリームにつき、有するパイロットを備え、
各アクテイブ・ストリームについての前記多重化されたパイロットの周波数位置は、各リソース・ブロック内に連続周波数ブロックを形成するために前記送信時間間隔内で時間的に前記リソース・ブロックのトーンを横切って周期的にシフトされる、通信装置。
【請求項１０】
前記アップリンク・パイロット・チャネル情報は、複数の利用可能リソース・ブロックの少なくとも１つ、およびパイロット開始周波数位置を含む、請求項９の通信装置。
【請求項１１】
前記アクテイブ・ストリーム当たりのアップリンク・パイロットをリソース・ブロックごとに直交態様で周波数分割多重化するための手段をさらに備える、請求項９の通信装置。
【請求項１２】
アップリンク・パイロット・チャネル情報を受信しかつ処理するための手段、
前記アップリンク・パイロット・チャネル情報に応じて送信時間間隔内で時間的にリソース・ブロックごとのパイロット帯域幅及び周波数位置を各アクテイブ・ストリームにつき周期的に変更することによってアップリンク・パイロットを適応的に多重化するための手段、
及び、前記適応的に多重化されたアップリンク・パイロットを送信するための手段、
を備え、
前記アップリンク・パイロット・チャネル情報を受信しかつ処理するための手段は、多重化されるべき１つ又は複数のアクテイブ・ストリームの数を受信しかつ処理するための手段をさらに含み、
各アクテイブ・ストリームについての前記多重化されたパイロットの周波数位置は、各リソース・ブロック内に連続周波数ブロックを形成するために前記送信時間間隔内で時間的に前記リソース・ブロックのトーンを横切って周期的にシフトされる、通信装置。
【請求項１３】
前記アップリンク・パイロット・チャネル情報を受信しかつ処理するための手段は、複数の利用可能リソース・ブロックの少なくとも１つ、およびパイロット開始周波数位置を受信しかつ処理するための手段さらに含む、請求項１２の通信装置。
【請求項１４】
前記送信するための手段は、リソース・ブロックごとの各アクテイブ・ストリームについての変化するパイロット・チャネル帯域幅及び周波数位置を有する適応的に多重化されたパイロットを送信するための手段を含む、請求項１２の通信装置。
【請求項１５】
前記パイロットを適応的に多重化するための手段は、アクテイブ・ストリーム当たりのパイロットをリソース・ブロックごとに直交態様で周波数分割多重化するための手段を含む、請求項１２の通信装置。
【請求項１６】
多重化されるべき１つ又は複数のアクテイブ・ストリームの数を決定する、
アップリンク・パイロット・チャネル情報を決定しかつ送信する、適応的に多重化されたパイロットを受信する、及び前記アップリンク・パイロット・チャネル情報の所定の関数に従って前記受信されたパイロットを逆多重化する、
ここにおいて、前記適応的に多重化されたパイロットは、送信時間間隔内でリソース・ブロック当たりの時間的に変化するパイロット・チャネル帯域幅および周波数位置を各アクテイブ・ストリームにつき有するパイロットを備え、
そして、各アクテイブ・ストリームについて前記送信時間間隔内で前記リソース・ブロックのトーンを横切って周期的にシフトされる周波数位置を有する前記受信されたパイロットを逆多重化するための命令を格納された機械読取り可能媒体。
【請求項１７】
前記送信時間間隔内で時間的にブロックごとの変化するパイロット・チャネル帯域幅及び周波数位置を有する前記受信されたパイロットを逆多重化するために格納されたコンピュータ実行可能命令をさらに備える、請求項１６の機械読取り可能媒体。
【請求項１８】
複数の利用可能なリソース・ブロックの１つ、および開始周波数位置を決定するために格納されたコンピュータ実行可能命令をさらに備える、請求項１６の機械読取り可能媒体。
【請求項１９】
アップリンク・パイロット・チャネル情報を受信しかつ処理する、
多重化されるべき１つまたは複数のアクテイブ・ストリームの数を受信しかつ処理する、
前記アップリンク・パイロット・チャネル情報に基づいて送信時間間隔内で時間的にリソース・ブロックごとのパイロット帯域幅及び周波数位置を各アクテイブ・ストリームにつき規則的に変更することによってパイロットを適応的に多重化する、
及び、前記適応的に多重化されたパイロットを送信する
ためのコンピュータ実行可能命令を格納され、
各アクテイブ・ストリームについての前記多重化されたパイロットの周波数位置は、各リソース・ブロック内に連続周波数ブロックを形成するために前記送信時間間隔内で時間的に前記リソース・ブロックのトーンを横切って周期的にシフトされる、機械読取り可能媒体。
【請求項２０】
複数の利用可能なリソース・ブロックの少なくとも１つ、およびパイロット・チャネル開始周波数位置を受信しかつ処理するために格納されたコンピュータ実行可能命令をさらに備える、請求項１９の機械読取り可能媒体。
【請求項２１】
リソース・ブロック当たり各アクティブ・ストリームにつき変化するパイロット・チャネル帯域幅を有する適応的に多重化されたパイロットを送信するために格納されたコンピュータ実行可能命令をさらに備える、請求項１９の機械読取り可能媒体。
【請求項２２】
アクティブ・ストリーム当たりのアップリンク・パイロットをリソース・ブロックにつき直交的に周波数分割多重化するために格納されたコンピュータ実行可能命令をさらに備える、請求項１９の機械読取り可能媒体。
【請求項２３】
無線通信システムにおいて、
基地局においてアップリンク・パイロット・チャネル情報を決定する、前記アップリンク・パイロット・チャネル情報は、多重化されるべき１つまたは複数のアクテイブ・ストリームの数を含む、
各アクテイブ・ストリームにつき、前記アップリンク・パイロット・チャネル情報の所定の関数に従って送信時間間隔内で時間的にリソース・ブロック当たりのパイロット・チャネル帯域幅及び周波数位置を変更することによってアップリンク・パイロットを多重化することを促進するために、前記アップリンク・パイロット・チャネル情報を１つ又は複数の無線端末に送信する、
及び、前記所定の関数に従って前記多重化されたアップリンク・パイロットを受信しかつ逆多重化する
ように構成されたプロセッサを備え、
各アクテイブ・ストリームについての前記多重化されたアップリンク・パイロットの周波数位置は、各リソース・ブロック内に連続周波数ブロックを形成するために前記送信時間間隔内で時間的に前記リソース・ブロックのトーンを横切って周期的にシフトされる、装置。
【請求項２４】
前記多重化されたパイロットは、前記送信時間間隔内で時間的にリソース・ブロック当たりの変化するパイロット・チャネル帯域幅および周波数位置を各アクティブ・ストリームにつき有するパイロットを含む、請求項２３の通信装置。
【請求項２５】
前記アップリンク・パイロット・チャネル情報は、複数の利用可能なリソース・ブロックの少なくとも１つ、および開始周波数位置を含む、請求項２３の通信装置。
【請求項２６】
無線通信システムにおいて、
基地局からアップリンク・パイロット・チャネル情報を受信する、
多重化されるべき１つまたは複数のアクティブ・ストリームの数を受信しかつ処理する、
前記アップリンク・パイロット・チャネル情報の所定の関数に従って無線端末において送信時間間隔内で時間的にリソース・ブロックごとのパイロット・チャネル帯域幅及び周波数位置を、各アクテイブ・ストリームにつき、変更することによってアップリンク・パイロットを多重化する、
及び、前記アップリンク・パイロットを送信する
ように構成されたプロセッサを備え、
各アクテイブ・ストリームについての前記多重化されたパイロットの周波数位置は、各リソース・ブロック内に連続周波数ブロックを形成するために前記送信時間間隔内で時間的に前記リソース・ブロックのトーンを横切ってに周期的にシフトされる、装置。
【請求項２７】
前記プロセッサは、複数の利用可能なリソース・ブロックの少なくとも１つ、およびパイロット・チャネル開始周波数位置を受信しかつ処理するようにさらに構成される、請求項２６の装置。
【請求項２８】
前記プロセッサは、リソース・ブロック当たり各アクティブ・ストリームにつき変化するパイロット・チャネル帯域幅および周波数位置を有する適応的に多重化されたパイロットを送信するようにさらに構成される、請求項２６の装置。
【請求項２９】
前記プロセッサは、アクティブ・ストリーム当たりのアップリンク・パイロットをリソース・ブロックごとに直交態様で周波数分割多重化するようにさらに構成される、請求項２６の装置。